(57)【要約】  【課題】  床清掃機の摺動部材の端部の押圧力を部分的に増大して、清掃効果を顕著にする。  【解決手段】  水平方向の振動を発生する振動発生装置１０を設けた本体１と、本体１に基端が一体的に接続された柄４と、本体１の下端に交換自在に取り付けられた刷毛３とを備えた床清掃機において、本体１の下端と刷毛３とを、少なくとも柄４の前後方向または／および上下方向への回動が可能な連結手段により連結する。連結手段としては、軸１８と軸受け２１，２２とからなるチルトヒンジ機構や、ゴム等からなる丸棒２７，２８を用いる。また、本体１部分に、柄４の方向を変えることができるスイベルヒンジ機構を設けて、清掃の際は、柄４と刷毛３の角度を任意に調整可能とする。【選択図】  図３
2009189534.tif 000002
【特許請求の範囲】
【請求項１】
水平方向の振動を発生する振動発生装置を設けた本体と、該本体の下端に交換自在に取り付けられた摺動部材と、前記本体に基端が一体的に接続されるとともに斜め上後方へ延設された柄とを備えた床清掃機において、
前記本体の下端と前記摺動部材との間に、前記摺動部材を水平に保持したままで前記本体を前記柄の前後方向または／および上下方向へ回動可能に連結する連結手段を配設したことを特徴とする床清掃機。
【請求項２】
請求項１に記載の床清掃機において、
前記本体または前記柄の基端部に、前記柄を前記摺動部材に対して垂直軸回りの旋回を可能に支持するスイベルヒンジを配設したことを特徴とする床清掃機。
【請求項３】
請求項１または２に記載の床清掃機において、
前記本体の下面であって前記本体の短手方向の中間位置に長手方向に引かれる中心線上の左右対称位置に前記連結手段を複数個配設したことを特徴とする床清掃機。
【請求項４】
請求項３に記載の床清掃機において、
前記中心線上の中央位置に連結手段を配設し、該連結手段は前記中心線と平行に配設された軸と該軸に嵌合される軸受けとから構成されるチルトヒンジ機構であることを特徴とする床清掃機。
【請求項５】
請求項４に記載の床清掃機において、
前記軸は振動発生装置の下面に固着されるとともに、前記軸受けは前記摺動部材の上面に固着されたことを特徴とする床清掃機。
【請求項６】
請求項４または５に記載の床清掃機において、
前記中央位置に配設された連結手段の外側の前記中心線上の左右対称位置に棒状のゴム材からなる１対の連結手段を配設したことを特徴とする床清掃機。
【請求項７】
請求項４または５に記載の床清掃機において、
前記中央位置に配設された連結手段の外側の前記中心線上の左右対称位置に１対のコイルバネからなる連結手段を配設したことを特徴とする床清掃機。
【発明の詳細な説明】
【技術分野】
【０００１】
本発明は、床清掃機に関し、詳しくは部屋の隅等の床面を確実に清掃することのできる床清掃機に関する。
【背景技術】
【０００２】
従来、床面を摺動する刷毛等の摺動部材の平面形状を四角形にした床清掃機として、特許文献１に記載の「サンダ」、特許文献２に記載の「床研磨機」、特許文献３に記載の「床清掃装置」、特許文献４に記載の「床清掃装置」、特許文献５に記載の「振動式床面清掃機」がある。これらは、水平方向に振動する振動装置の下面に刷毛やパッド等の摺動部材を取り付けた構造であり、その摺動部材が床面を摺動することによって床面の清掃や研磨をするものである。
【０００３】
【特許文献１】特開２０００−２３３３５５号公報
【特許文献２】特開２００２−２１０６４６号公報
【特許文献３】特開２００３−１１１７０５号公報
【特許文献４】特開２００４−１０５５９２号公報
【特許文献５】特許３２０５６４９号公報
【発明の開示】
【発明が解決しようとする課題】
【０００４】
しかしながら、上述した清掃機等は、清掃機等を使用する作業者が柄を把持して、床面上を、清掃機等を移動させながら使用する構造であるため、柄の先端と清掃機等本体との接続部がチルトヒンジ構造である。そのため、清掃機等本体に対して柄の角度が変化しても、清掃機等本体は常に水平に保たれて、摺動部材は清掃機等本体の自重に応じて全面が均等な押圧力で床面を押圧して摺動する。
ところで、実際の床面の清掃作業においては、部屋の隅の部分の汚れがひどいということがある。また部屋の中央でもスポット的に汚れのひどい部分がある。その場合は、清掃機等の摺動部材の先端部のみ押圧力を増して強力に磨き汚れを落としたいことがある。しかし、上述した従来の清掃機等では、チルトヒンジ構造で柄が清掃機等本体に接続されているため、柄に体重を掛けても、摺動部材の全面の押圧力が増して、摺動部材の先端部のみの押圧力を増すことができなかった。
そこで、本発明は、摺動部材の端部の押圧力を部分的に増大して、清掃効果を顕著にすることのできる床清掃機を提案することを目的とした。
【課題を解決するための手段】
【０００５】
上記課題を解決するために、本発明は、水平方向の振動を発生する振動発生装置を設けた本体と、該本体の下端に交換自在に取り付けられた摺動部材と、前記本体に基端が一体的に接続されるとともに斜め上後方へ延設された柄とを備えた床清掃機において、前記本体の下端と前記摺動部材との間に、前記摺動部材を水平に保持したままで前記本体を前記柄の前後方向または／および上下方向へ回動可能に連結する連結手段を配設したことを特徴とする。
ここで、前記床清掃機において、前記本体または前記柄の基端部に、前記柄を前記摺動部材に対して垂直軸回りの旋回を可能に支持するスイベルヒンジを配設したことを特徴とする。
また、前記床清掃機において、前記本体の下面であって前記本体の短手方向の中間位置に長手方向に引かれる中心線上の左右対称位置に前記連結手段を複数個配設したことを特徴とする。
また、前記床清掃機において、前記中心線上の中央位置に連結手段を配設し、該連結手段は前記中心線と平行に配設された軸と該軸に嵌合される軸受けとから構成されるチルトヒンジ機構であることを特徴とする。
また、前記床清掃機において、前記軸は振動発生装置の下面に固着されるとともに、前記軸受けは前記摺動部材の上面に固着されたことを特徴とする。
また、前記床清掃機において、前記中央位置に配設された連結手段の外側の前記中心線上の左右対称位置に棒状のゴム材からなる１対の連結手段を配設することが好ましい。
また、前記床清掃機において、前記中央位置に配設された連結手段の外側の前記中心線上の左右対称位置にコイルバネからなる１対の連結手段を配設することが好ましい。
【発明の効果】
【０００６】
以上述べた本発明によれば、床清掃機本体の下端と摺動部材とを、少なくとも柄の前後方向への回動が自在な連結手段により連結したことにより、柄を前後方向へ傾けることにより、摺動部材の前後端または左右端が片当たりに近い状態となり、その片当たりに近い状態で当接している床面の押圧力を増して集中的に磨くことが可能となり、清掃作業の能率が向上する効果が得られる。
【発明を実施するための最良の形態】
【０００７】
以下、図に基づいて本発明の実施形態を説明する。図１および図２は、本発明に係る床清掃機の実施形態を示す斜視図である。図において、１は床清掃機の本体であり上部に、スイベルヒンジ機構を介してモータハウジング２が垂直軸回りの旋回を可能に連結されている。モータハウジング２の内部のモータによって駆動される振動発生装置が、本体１の下側中心に配設されている。
本体１の下方には、連結手段を介して摺動部材であるところの刷毛３が着脱自在に連結されている。図中のＣは、本体１の下面であって本体１の短手方向の中間位置に長手方向に引かれる中心線である。
【０００８】
モータハウジング２の上部後端には柄４の基端が斜め上後方へ向けて一体的に接続されている。柄４の途中にはグリップ５が突設されている。柄４の先端には電源コード６が接続されている。柄４の先端近くには電源スイッチ７が設置されている。
図１は平面形状が長方形である本体１の長手方向と柄４の方向が直交している状態であり、図２は図１の角度からスイベルヒンジ機構により本体１に対してモータハウジング２と柄４を９０度旋回させて、本体１の長手方向と柄４の前後方向が同一の状態である。
【０００９】
図３は図１および図２の本体１部分の縦断面図であり、図４は図３のＡ−Ａ線断面図であり、図５は図３のＢ−Ｂ線断面図であり、図６は図３のＣ−Ｃ線断面図である。これらの図にもとづいて、振動発生装置および連結手段について説明する。
本体１の上面の中心に位置するモータハウジング２内には、出力軸１１を下向きにしたモータ１２が収納されている。モータ１２の出力軸１１の周囲にはフランジを有するスリーブ１３が同軸上に固定され、スリーブ１３が本体１に穿設された孔に回動自在に嵌合されることにより、スイベルヒンジ機構が構成されている。このスイベルヒンジ機構により、柄４、モータ１２およびモータハウジング２が本体１に対して垂直軸回りの旋回が可能となる。
【００１０】
モータ１２の出力軸１１には、本体１の下方に位置する碗型の偏心錘１４が嵌着され、その先端部分に偏心カム１５が嵌着されている。偏心カム１５の外側にはベアリング１６を介して振動体１７が嵌合されている。これら偏心カム１５、ベアリング１６、振動体１７および偏心錘１４により振動発生装置１０が構成される。振動体１７の下端には、本体１の長手方向と平行に配置された軸１８が２箇所でビス止めされている。軸１８の両端近くには、刷毛３の天板１９に螺着されたピロー型の軸受け２１，２２が嵌合されている。
【００１１】
これら軸１８と軸受け２１，２２とにより、本体１と刷毛３を回動自在に連結するチルトヒンジ機構が構成されるとともに、本体１と刷毛３を連結する連結手段が構成される。これら軸１８と軸受け２１，２２は、本体１および刷毛３の短手方向の中央位置に長手方向に引かれる中心線上に配置されている。軸受け２１，２２の上部には、周方向の長孔２３，２４が形成されており、これら長孔２３，２４内に、軸１８に植設されたピン２５，２６が遊嵌されている。ピン２５，２６により、軸受け２１，２２に対する軸１８の回動範囲すなわち刷毛３に対する本体１の傾斜範囲が規制される。
【００１２】
これら軸１８と軸受け２１，２２を介して、振動体１７の振動が刷毛３に伝達される。なお、振動体１７から伝達される軸１８の軸方向の振動を軸受け２１，２２に確実に伝達するために、軸１８の両端に当接して軸１８のスラスト方向の変位を規制するストッパー部材を、軸受け２１，２２側に設けることも可能である。
また、図示の実施形態では、振動体１７側に軸１８を設けて、刷毛３側に軸受け２１，２２を設けているが、それぞれを反対側に設ける構造とすることも可能である。
【００１３】
軸１８の外側の軸芯延長線上の左右対称位置には、硬質ゴムまたは可撓性を有するプラスチックからなる丸棒２７，２８が、上端を本体１に下端を刷毛３の天板１９にそれぞれビス止めして固定されている。これら丸棒２７，２８は、可撓性を有することにより、本体１と刷毛３を回動自在に連結する連結手段が構成される。
また、丸棒２７，２８は、本体１に対して刷毛３が回転することを防止する回り止めとしても機能している。なお、丸棒２７，２８の代わりに、コイルバネを用いることも可能である。
【００１４】
実施形態の床清掃機は、上述した連結手段を備えたことで、刷毛３が床面に接した水平姿勢を保持した状態のまま、図７および図８のように本体１を水平状態から傾けることが可能となる。床清掃機を使用する場合は、電源コード６をコンセントに接続した後、作業者が柄４およびグリップ５を把持して、電源スイッチ７をオンすると、モータ１２が起動されて振動発生装置１０が振動を発生し、その振動が軸１８と軸受け２１，２２を介して刷毛３に伝達されて刷毛３が水平方向に振動して床面を磨くことができる。
【００１５】
図７および図８は、上述した連結手段の動作を示す説明図であり、図６の状態から柄４を下方へ押し下げると、軸１８と軸受け２１，２２からなるチルトヒンジ機構が回動するとともに丸棒２７，２８が変形して、図７に示されるように、刷毛３が水平に保持されたままで本体１が反時計方向に傾く。このとき、丸棒２７，２８は弾性変形するとともに、軸受け２１，２２の長孔２３，２４の端部に、軸１８に嵌着されているピン２５，２６が当接することで刷毛３に対する本体１の傾斜範囲が規制される。その結果、その反力として、柄４に時計方向のモーメントが発生して、刷毛３の下端の床との接地部分は、反時計方向のモーメントが作用し、刷毛３の左端側の押圧力が右端側の押圧力より増し、刷毛３は左端側の接地部で床を集中的に磨くことが可能となる。
【００１６】
次に、反対に、図６の状態から柄４を上方へ引き上げると、軸１８と軸受け２１，２２からなるチルトヒンジ機構が回動するとともに丸棒２７，２８が変形して、図８に示されるように、刷毛３が水平に保持されたままで本体１が時計方向に傾く。このとき、丸棒２７，２８は弾性変形するとともに、軸受け２１，２２の長孔２３，２４の端部に、軸１８に嵌着されているピン２５，２６が当接することで刷毛３に対する本体１の傾斜範囲が規制される。その結果、その反力として、柄４に反時計方向のモーメントが発生して、刷毛３の下端の床との接地部分は、時計方向のモーメントが作用し、刷毛３の右端側の押圧力が左端側の押圧力より増し、刷毛３は右端側の接地部で床を集中的に磨くことが可能となる。
【００１７】
実施形態の床清掃機は、上述したようにモータハウジング２と本体１との間にスイベルヒンジ機構を備えたことで、柄４に対して、刷毛３の方向を任意に変更することが可能となる。実際の床清掃では、通常は刷毛３の長手方向を柄４に対して直交する方向で清掃し、家具等に囲まれた狭い箇所では、刷毛３の長手方向を柄４に対して同じ方向に変えて、狭いところを清掃することができる。また、本発明の実施形態の床清掃機は、壁面を磨くことも可能である。
【００１８】
なお、実施形態では、モータハウジング２と本体１との間にスイベルヒンジ機構を設けたが、モータハウジング２の上端の柄４の基端部との接続部分にスイベルヒンジ機構を設けることも可能である。また、本発明の実施形態では、振動発生装置を、偏心した錘を回転させる構造としたが、他の方式として、振動発生装置をソレノイドにより構成することも可能である。
また、摺動部材は刷毛以外に、不織布等からなるパッドや、スポンジ等を用いることも可能である。また、摺動部材として研磨材を用いることも可能である。
【産業上の利用可能性】
【００１９】
本発明は、床を清掃する以外に、床面を研磨するポリッシャとして利用することも可能である。
【図面の簡単な説明】
【００２０】
【図１】本発明に係る床清掃機の実施形態を示す斜視図である。
【図２】図１の使用形態を変えた状態を示す斜視図である。
【図３】図１の本体部分の縦断面図である。
【図４】図３のＡ−Ａ線断面図である。
【図５】図３のＢ−Ｂ線断面図である。
【図６】図３のＣ−Ｃ線断面図である。
【図７】図６における使用状態の一例を示す縦断面図である。
【図８】図６における使用状態の他の例を示す縦断面図である。
【符号の説明】
【００２１】
１  本体
２  モータハウジング
３  刷毛
４  柄
５  グリップ
６  電源コード
７  電源スイッチ
１０  振動発生装置
１１  出力軸
１２  モータ
１３  スリーブ
１４  偏心錘
１５  偏心カム
１６  ベアリング
１７  振動体
１８  軸
１９  天板
２１，２２  軸受け
２３，２４  長孔
２５，２６  ピン
２７，２８  丸棒
Ｃ  中心線
【図１】
2009189534.tif 000003
【図２】
2009189534.tif 000004
【図３】
2009189534.tif 000005
【図４】
2009189534.tif 000006
【図５】
2009189534.tif 000007
【図６】
2009189534.tif 000008
【図７】
2009189534.tif 000009
【図８】
2009189534.tif 000010